(57)【要約】【課題】  表示画像の一部分のベクトル特性を把握させる。【解決手段】  外部から入力される入力画像信号に対応する動画像を表示画面上に表示させる画像表示装置１であって、この画像表示装置１は、表示画面上の一部の領域を指定する領域指定部２０と、領域指定部２０によって指定された領域内に表示される動画像の画像信号を入力画像信号から抽出する画像信号抽出部３０と、画像信号抽出部３０によって抽出された画像信号を変換し、当該画像信号の色相ベクトル信号を生成するベクトル信号生成部４０と、ベクトル信号生成部４０によって生成された色相ベクトル信号と入力画像信号と指定領域信号とを合成する画像合成部５０と、画像合成部５０によって合成された合成画像信号に対応する動画像と指定枠と色相ベクトルを表示画面上に表示させる画像表示部６０とを備える。【選択図】  図１
2008048174.tif 000002
【特許請求の範囲】
【請求項１】
外部から入力される入力画像信号に対応する画像を表示画面上に表示させる画像表示装置であって、
前記表示画面上の一部の領域を指定する領域指定手段と、
前記領域指定手段によって指定された前記領域内に表示される画像の画像信号を前記入力画像信号から抽出する画像信号抽出手段と、
前記画像信号抽出手段によって抽出された画像信号を変換し、当該画像信号のベクトル信号を生成するベクトル信号生成手段と、
前記ベクトル信号生成手段によって生成されたベクトル信号と前記入力画像信号と前記領域指定手段によって指定された前記領域に対応する指定領域信号とを合成する画像合成手段と、
前記画像合成手段によって合成された合成画像信号に基づいて、画像、前記領域指定手段によって指定された前記領域およびベクトルを前記表示画面上に表示させる画像表示手段と、
を備えることを特徴とする画像表示装置。
【請求項２】
前記画像表示手段は、前記領域指定手段によって指定された前記領域に表示される画像と、当該画像に対応する前記ベクトルとを対応付けて表示させることを特徴とする請求項１記載の画像表示装置。
【請求項３】
前記ベクトルは、色相ベクトルであることを特徴とする請求項１または２に記載の画像表示装置。
【請求項４】
外部から入力される入力画像信号に対応する画像を表示画面上に表示させる画像表示方法であって、
画像表示装置が、
前記表示画面上の一部の領域を指定する領域指定ステップと、
前記領域指定ステップにおいて指定された前記領域内に表示される画像の画像信号を前記入力画像信号から抽出する画像信号抽出ステップと、
前記画像信号抽出ステップにおいて抽出された画像信号を変換し、当該画像信号のベクトル信号を生成するベクトル信号生成ステップと、
前記ベクトル信号生成ステップにおいて生成されたベクトル信号と前記入力画像信号と前記領域指定ステップにおいて指定された前記領域に対応する指定領域信号とを合成する画像合成ステップと、
前記画像合成ステップにおいて合成された合成画像信号に基づいて、画像、前記領域指定ステップにおいて指定された前記領域およびベクトルを前記表示画面上に表示させる画像表示ステップと、
を備えることを特徴とする画像表示方法。
【発明の詳細な説明】
【技術分野】
【０００１】
本発明は、画像表示装置および画像表示方法に関する。
【背景技術】
【０００２】
下記特許文献１には、撮影された画像を表示するとともに、この画像のベクトル特性を表示するテレビジョンカメラ装置に関する技術が開示されている。
【特許文献１】特開２００２−２４７６０８号公報
【発明の開示】
【発明が解決しようとする課題】
【０００３】
ところで、上述したテレビジョンカメラ装置では、表示画像全体のベクトル特性を表示しているが、表示画像の一部分のベクトル特性を表示することはできない。したがって、表示画像の一部分のベクトル特性を把握することはできなかった。
【０００４】
そこで、本発明は、上述した課題を解決するために、表示画像の一部分のベクトル特性を把握させることができる画像表示装置および画像表示方法を提供することを目的とする。
【課題を解決するための手段】
【０００５】
本発明の画像表示装置は、外部から入力される入力画像信号に対応する画像を表示画面上に表示させる画像表示装置であって、表示画面上の一部の領域を指定する領域指定手段と、領域指定手段によって指定された領域内に表示される画像の画像信号を入力画像信号から抽出する画像信号抽出手段と、画像信号抽出手段によって抽出された画像信号を変換し、当該画像信号のベクトル信号を生成するベクトル信号生成手段と、ベクトル信号生成手段によって生成されたベクトル信号と入力画像信号と領域指定手段によって指定された領域に対応する指定領域信号とを合成する画像合成手段と、画像合成手段によって合成された合成画像信号に基づいて、画像、領域指定手段によって指定された領域およびベクトルを表示画面上に表示させる画像表示手段と、を備えることを特徴とする。
【０００６】
また、本発明の画像表示方法は、外部から入力される入力画像信号に対応する画像を表示画面上に表示させる画像表示方法であって、画像表示装置が、表示画面上の一部の領域を指定する領域指定ステップと、領域指定ステップにおいて指定された領域内に表示される画像の画像信号を入力画像信号から抽出する画像信号抽出ステップと、画像信号抽出ステップにおいて抽出された画像信号を変換し、当該画像信号のベクトル信号を生成するベクトル信号生成ステップと、ベクトル信号生成ステップにおいて生成されたベクトル信号と入力画像信号と領域指定ステップにおいて指定された領域に対応する指定領域信号とを合成する画像合成ステップと、画像合成ステップにおいて合成された合成画像信号に基づいて、画像、領域指定ステップにおいて指定された領域およびベクトルを表示画面上に表示させる画像表示ステップと、を備えることを特徴とする。
【０００７】
これらの発明によれば、表示画面上において任意に指定された領域内に表示される画像のベクトルを表示させることができるため、表示画像の一部分のベクトル特性を把握することができる。
【０００８】
本発明の画像表示装置において、上記画像表示手段は、領域指定手段によって指定された領域に表示される画像と、当該画像に対応するベクトルとを対応付けて表示させることが好ましい。このようにすれば、表示画面上において複数の領域が指定された場合であっても、それぞれの指定領域に表示される画像と、この画像に対応するベクトルとの対応関係を明確にすることができる。
【０００９】
本発明の画像表示装置において、上記ベクトルは、色相ベクトルであることが好ましい。これにより、画像の特徴部分のみの色相を把握することができる。
【発明の効果】
【００１０】
本発明に係る画像表示装置および画像表示方法によれば、表示画像の一部分のベクトル特性を把握させることができる。
【発明を実施するための最良の形態】
【００１１】
以下、本発明に係る画像表示装置および画像表示方法の実施形態を図面に基づき説明する。なお、各図において、同一要素には同一符号を付して重複する説明を省略する。
【００１２】
図１は、第１実施形態における画像表示装置１の機能構成を例示する図である。図１に示す画像表示装置１は、外部から入力される入力画像信号に対応する動画像を表示画面上に表示させる装置である。画像表示装置１は、画像信号入力部１０と、領域指定部２０（領域指定手段）と、画像信号抽出部３０（画像信号抽出手段）と、ベクトル信号生成部４０（ベクトル信号生成手段）と、画像合成部５０（画像合成手段）と、画像表示部６０（画像表示手段）とを有する。なお、表示画面は、画像表示装置１のディスプレイであってもよいし、画像表示装置１の外部にある他の装置のディスプレイであってもよい。
【００１３】
画像信号入力部１０は、画像表示装置１の外部から入力される入力画像信号を受信して画像信号抽出部３０および画像合成部５０に送信する。
【００１４】
領域指定部２０は、ユーザの操作指示によって選択された表示画面上の一部の領域を指定領域として指定する。この指定領域は、ユーザによって任意に選択される領域であり、領域の大きさ、領域の形状、領域数についてもユーザによって任意に決定可能である。なお、領域指定部２０によって指定された指定領域に対応する指定領域信号は、画像信号抽出部３０および画像合成部５０に送信される。
【００１５】
画像信号抽出部３０は、領域指定部２０によって指定された指定領域内に表示される動画像の画像信号を入力画像信号から抽出する。画像信号抽出部３０は、指定領域が複数存在する場合には、各指定領域に表示される動画像の画像信号をそれぞれ抽出する。
【００１６】
ベクトル信号生成部４０は、画像信号抽出部３０によって抽出された画像信号に基づいて、色相ベクトル信号を生成する。色相ベクトル信号は、抽出された画像信号をベクトル変換することで生成される。ベクトル信号生成部４０は、指定領域が複数存在する場合には、各指定領域に対応する画像信号に基づいて、それぞれの色相ベクトルを生成する。
【００１７】
画像合成部５０は、ベクトル信号生成部４０によって生成された色相ベクトル信号と入力画像信号と指定領域信号とを合成して合成画像信号を生成する。
【００１８】
画像表示部６０は、画像合成部５０によって合成された合成画像信号に基づいて、動画像、指定領域を示す指定枠および色相ベクトルを表示画面上に表示させる。
【００１９】
図２は、画像表示部６によって表示させられる表示画面の一例を示す図である。
【００２０】
図２に示すように、表示画面２は、画像表示領域２Ａとベクトル表示領域２Ｂとに大別される。画像表示領域２Ａには、画像信号入力部１０によって入力される入力画像信号に対応する動画像が表示される。図２に示す画像表示領域２Ａには、ユーザの操作指示によって選択された指定領域Ｔ１，Ｔ２を示す指定枠が表示されている。ベクトル表示領域２Ｂには、ベクトル信号生成部４０によって生成された色相ベクトル信号に対応する色相ベクトルＶ１，Ｖ２が表示される。指定領域Ｔ１内に表示される動画像の色相ベクトルがＶ１であり、指定領域Ｔ２内に表示される動画像の色相ベクトルがＶ２である。本実施形態では、指定領域Ｔ１の指定枠の色と色相ベクトルＶ１の表示枠の色とを同色で表示させ、指定領域Ｔ２の指定枠の色と色相ベクトルＶ２の表示枠の色とを同色で表示させている。これにより、領域指定部２０によって指定された指定領域Ｔ１，Ｔ２に表示される動画像と、この動画像の色相ベクトルＶ１，Ｖ２とを対応付けて表示させることができるため、指定領域Ｔ１，Ｔ２と色相ベクトルＶ１，Ｖ２との対応関係を明確にすることができる。
【００２１】
次に、図３を参照して、本実施形態における画像表示装置１において行われる画像表示処理の流れについて説明する。
【００２２】
まず、画像表示装置１において、表示画面２上の画像表示領域２Ａの一部が指定されたか否かが判定される（ステップＳ１）。この判定がＮＯである場合（ステップＳ１；ＮＯ）に、この判定が繰り返し実行される。
【００２３】
ステップＳ１の判定において、画像表示領域２Ａの一部が指定されたと判定された場合（ステップＳ１；ＹＥＳ）に、画像信号抽出部３０は、指定された指定領域内に表示される動画像の画像信号を入力画像信号から抽出する（ステップＳ２）。
【００２４】
次に、ベクトル信号生成部４０は、画像信号抽出部３０によって抽出された画像信号をベクトル変換して色相ベクトル信号を生成する（ステップＳ３）。
【００２５】
次に、画像合成部５０は、ベクトル信号生成部４０によって生成された色相ベクトル信号と入力画像信号と指定領域信号とを合成して合成画像信号を生成する（ステップＳ４）。
【００２６】
次に、画像表示部６０は、画像合成部５０によって合成された合成画像信号に対応する動画像、指定枠および色相ベクトルを表示画面２上に表示させる（ステップＳ５）。これにより、表示画面２の画像表示領域２Ａには動画像および指定枠が表示され、表示画面２のベクトル表示領域２Ｂには色相ベクトルが表示される。
【００２７】
以上のように、本実施形態における画像表示装置１によれば、表示画面２上に任意に選択された指定領域内に表示される動画像の色相ベクトルを表示させることができる。したがって、表示されている動画像の一部分のみの色相ベクトル特性を把握することができる。
【００２８】
なお、上述した実施形態では、画像表示装置１で取り扱う画像として動画像を用いて説明しているが、画像表示装置で取り扱う画像は動画像には限定されず、例えば、静止画像であってもよい。
【００２９】
また、上述した実施形態では、画像表示装置に表示されるベクトルとして色相ベクトルを用いて説明しているが、画像表示装置に表示されるベクトルは色相ベクトルに限定されず、例えば、彩度ベクトルや明度ベクトルであってもよい。
【００３０】
また、上述した実施形態では、動画像と色相ベクトルを同一の表示画面上に表示しているが、動画像と色相ベクトルの表示方法は、これに限定されない。例えば、動画像と色相ベクトルとを別個の表示画面上に表示させてもよい。
【００３１】
また、上述した実施形態では、指定領域の指定枠の色と色相ベクトルの表示枠の色とを同色で表示させることで、指定された動画像と色相ベクトルとを対応付けて表示させているが、対応関係の表し方はこれに限定されない。例えば、指定領域の指定枠の横幅と色相ベクトルの表示枠の横幅とを一致させることで、指定された動画像と色相ベクトルとを対応付けて表示させることとしてもよい。
【図面の簡単な説明】
【００３２】
【図１】発明の実施形態における画像表示装置の機能構成を例示する図である。
【図２】画像表示装置によって表示される表示画面構成を例示する図である。
【図３】画像表示処理の流れを説明するフローチャートである。
【符号の説明】
【００３３】
１・・・画像表示装置、２・・・表示画面、２Ａ・・・画像表示領域、２Ｂ・・・ベクトル表示領域、１０・・・画像信号入力部、２０・・・領域指定部、３０・・・画像信号抽出部、４０・・・ベクトル信号生成部、５０・・・画像合成部、６０・・・画像表示部、Ｔ１，Ｔ２・・・指定領域、Ｖ１，Ｖ２・・・色相ベクトル。
【図１】
2008048174.tif 000003
【図２】
2008048174.tif 000004
【図３】
2008048174.tif 000005